Podtech/llm-jp-corpus-v4-ja_patent huggingface dataset:
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
シートが積載される積載部と、
前記積載部に積載されたシートをシート給送方向へ給送する給送部と、
前記積載部に積載されるシートに当接することによって第１待機位置から第１規制位置へ移動可能であり、前記第１規制位置において前記積載部に積載されるシートの前記シート給送方向への移動を規制する第１当接部材と、
前記積載部に積載されるシートに当接することによって第２待機位置から第２規制位置へ移動可能であり、前記２規制位置において前記積載部に積載されるシートの前記シート給送方向への移動を規制する、前記第１当接部材とは前記シート給送方向に交差する幅方向において異なる位置に設けられた第２当接部材と、
前記第１当接部材の位置および前記第２当接部材の位置を検知する検知部と、を有することを特徴とするシート給送装置。
【請求項２】
前記幅方向に移動可能に設けられ、前記積載部に積載されたシートの前記幅方向における端部を規制するサイド規制部を有することを特徴とする請求項１に記載のシート給送装置。
【請求項３】
前記第１規制位置に位置する前記第１当接部材の前記シート搬送方向への移動と、前記第２規制位置に位置する前記第２当接部材の前記シート搬送方向への移動と、を規制するストッパー部と、
前記ストッパー部による前記第１、第２当接部材の移動の規制を解除する解除手段と、を有することを特徴とする請求項１または２に記載のシート給送装置。
【請求項４】
前記給送部は、前記積載部に積載されたシートの上面に接して該シートを給送するピックアップローラを含み、
前記解除手段は、前記ピックアップローラを回転自在に保持し且つ前記ピックアップローラをシートから離れた離間位置から該シートに当接する当接位置へ移動できるように搖動自在な搖動部材を含み、
前記ピックアップローラが前記離間位置から前記当接位置へ移動するための前記搖動部材の搖動によって前記ストッパーによる前記第１、第２当接部材の規制が解除されることを特徴とする請求項３に記載のシート給送装置。
【請求項５】
前記検知部の検知結果に応じてシートのセット状態を報知する報知手段を有することを特徴とする請求項１乃至４のいずれか１項に記載にシート給送装置。
【請求項６】
前記報知手段は表示部であって、
前記第１当接部が前記第１待機位置にありかつ前記第２当接部が前記第２待機位置にある場合と、前記第１当接部が前記第１待機位置にありかつ前記第２当接部が前記第２規制位置にある場合とで異なる表示を行うことを特徴とする請求項５に記載のシート給送装置。
【請求項７】
前記検知部は、前記第１当接部材の移動を検知する第１センサと、前記第２当接部材の移動を検知する第２センサと、を含み、
前記第１センサが前記第１当接部材の前記第１待機位置から前記第１規制位置への移動を検知し且つ前記第２センサが前記第２当接部材の前記第２待機位置から前記第２規制位置への移動を検知した場合に、前記積載部に積載されたシートの姿勢が正しいと判断し、前記第１センサが前記第１当接部材の前記第１待機位置から前記第１規制位置への移動を検知し且つ前記第２センサが前記第２当接部材の前記第２待機位置から前記第２規制位置への移動を検知しない場合に、前記積載部に積載されたシートの姿勢が正しくないと判断する制御部を有することを特徴とする請求項１乃至６のいずれか１項に記載のシート給送装置。
【請求項８】
前記検知部は、前記第１当接部材の移動を検知する第１センサと、前記第２当接部材の移動を検知する第２センサと、を含み、
前記第１センサが前記第１当接部材の第１待機位置から前記第１規制位置への移動を検知し且つ前記第２センサが前記第２当接部材の第２待機位置から前記第２規制位置への移動を検知した場合に、前記給送部によるシートの給送を許容し、前記第１センサが前記第１当接部材の前記第１待機位置から前記第１規制位置への移動を検知し且つ前記第２センサが前記第２当接部材の前記第１待機位置から前記第２規制位置への移動を検知しない場合に、前記給送部によるシートの給送を許容しない制御部を有することを特徴とする請求項１乃至６のいずれか１項に記載のシート給送装置。
【請求項９】
前記検知部の検知結果に基づいて前記給送部によるシートの給送を可能とするかを判断する判断手段を有することを特徴とする請求項１乃至８のいずれか１項に記載のシート給送装置。
【請求項１０】
シートが積載される積載部と、
前記積載部に積載されたシートをシート給送方向へ給送する給送部と、
前記積載部に積載されるシートに当接することによって第１待機位置から第１規制位置へ移動可能であり、前記第１規制位置において前記積載部に積載されるシートの前記シート給送方向への移動を規制する第１当接部材と、
前記積載部に積載されるシートに当接することによって第２待機位置から第２規制位置へ移動可能であり、前記２規制位置において前記積載部に積載されるシートの前記シート給送方向への移動を規制する、前記第１当接部材とは前記シート給送方向に交差する幅方向において異なる位置に設けられた第２当接部材と、
前記第１当接部材の位置に基づいて、前記積載部に積載されたシートの先端を検知する第１センサと、
前記第２当接部材の位置に基づいて、前記積載部に積載されたシートの先端を検知する第２センサと、
前記第１センサ及び前記第２センサの両方がシートの先端を検知した場合は、前記給送部によるシートの給送を許容し、前記第１センサ及び前記第２センサの一方がシートの先端を検知し且つ前記第１センサ及び前記第２センサの他方がシートの先端を検知しない場合は、前記給送部によるシートの給送を許容しない制御部と、を有することを特徴とするシート給送装置。
【請求項１１】
前記給送部は、前記積載部に積載されたシートの上面に接して該シートを給送するピックアップローラを含み、
前記第１、第２当接部材は、前記幅方向において前記ピックアップローラの両側に設けられていることを特徴とする請求項１乃至１０のいずれか１項に記載のシート給送装置。
【請求項１２】
請求項１乃至１１のいずれか１項に記載のシート給送装置と、前記シート給送装置から送り出されたシートに画像を形成する画像形成手段とを有することを特徴とする画像形成装置。
【手続補正２】
【補正対象書類名】明細書
【補正対象項目名】０００７
【補正方法】変更
【補正の内容】
【０００７】
本発明のシート給送装置は、シートが積載される積載部と、前記積載部に積載されたシートをシート給送方向へ給送する給送部と、前記積載部に積載されるシートに当接することによって第１待機位置から第１規制位置へ移動可能であり、前記第１規制位置において前記積載部に積載されるシートの前記シート給送方向への移動を規制する第１当接部材と、前記積載部に積載されるシートに当接することによって第２待機位置から第２規制位置へ移動可能であり、前記２規制位置において前記積載部に積載されるシートの前記シート給送方向への移動を規制する、前記第１当接部材とは前記シート給送方向に交差する幅方向において異なる位置に設けられた第２当接部材と、前記第１当接部材の位置および前記第２当接部材の位置を検知する検知部と、を有する。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
（ａ）ゾピクロン、その光学異性体又はこれらの塩の何れか１つ、
（ｂ）無水リン酸水素カルシウム、Ｄ−マンニトール又は乳糖水和物の少なくとも１つ、
（ｃ）硬化油、ショ糖脂肪酸エステル又はＬ−メチオニンの少なくとも１つを
含有する錠剤。
【請求項２】
エスゾピクロン、無水リン酸水素カルシウム及び硬化油を含有する錠剤。
【請求項３】
エスゾピクロンを１錠中、０．５〜１０ｍｇ含有する請求項１又は２記載の錠剤。
【請求項４】
無水リン酸水素カルシウムを錠剤中、５〜４５％含有する請求項１〜３の何れかの項に記載の錠剤。
【請求項５】
無水リン酸水素カルシウムを錠剤中、１０〜３０％含有する請求項１〜３の何れかの項に記載の錠剤。
【請求項６】
無水リン酸水素カルシウムのＢＥＴ表面積が、２０ｍ２／ｇ以下である請求項１〜５の何れかの項に記載の錠剤。
【請求項７】
硬化油を錠剤中、０．５〜５％含有する請求項１〜６の何れかの項に記載の錠剤。
【請求項８】
さらに賦形剤を含有している請求項１〜７の何れかの項に記載の錠剤。
【請求項９】
賦形剤がコムギデンプン、トウモロコシデンプン、乳糖水和物又は結晶セルロースから選択される請求項２〜８の何れかの項に記載の錠剤。
【請求項１０】
さらに崩壊剤を含有している請求項１〜９の何れかの項に記載の錠剤。
【請求項１１】
崩壊剤がデンプングリコール酸ナトリウム、カルメロースカルシウム、クロスカルメロースナトリウム又はＬ−ＨＰＣから選択される請求項１０記載の錠剤。
【請求項１２】
さらに結合剤を含有している請求項１〜１１の何れかの項に記載の錠剤。
【請求項１３】
結合剤がＨＰＣ又はα化デンプンから選択される請求項１２記載の錠剤。
【請求項１４】
さらに滑沢剤を含有している請求項１〜１３の何れかの項に記載の錠剤。
【請求項１５】
滑沢剤が、ステアリン酸マグネシウム、ステアリン酸カルシウム又はフマル酸ステアリルナトリウムから選択される請求項１４記載の錠剤。
【請求項１６】
湿式造粒法で製造される請求項１〜１５の何れかの項に記載の錠剤。
【請求項１７】
無水リン酸水素カルシウムが、顆粒外に存在する請求項１〜１６の何れかの項に記載の錠剤。
【請求項１８】
さらにフィルムコーティングされている請求項１〜１７の何れかの項に記載の錠剤。
【手続補正書】
【提出日】令和3年11月25日(2021.11.25)
【手続補正１】
【補正対象書類名】特許請求の範囲
【補正対象項目名】請求項９
【補正方法】変更
【補正の内容】
【請求項９】
請求項６に記載のバルブ駆動装置において、
前記駆動側歯車が回動したときに前記凸部の前記半径方向における先端が作る円軌跡を第１円軌跡とし、前記凸部が前記第１方向に回転して前記第１接触部と接触する際の前記第１接触部の前記従動側歯車の半径方向における先端が作る円の軌跡を第２円軌跡とし、
前記第２接触部は、前記第１円軌跡の作る第１円と前記第２円軌跡が作る第２円とで囲われた干渉領域において、前記第１接触部側に干渉回避部が存在する形状である、
ことを特徴とするバルブ駆動装置。
【手続補正書】
【提出日】令和3年11月25日(2021.11.25)
【手続補正１】
【補正対象書類名】特許請求の範囲
【補正対象項目名】請求項５
【補正方法】変更
【補正の内容】
【請求項５】
請求項４に記載のバルブ駆動装置において、
前記モータはステッピングモータであり、
前記レバー部の回動角度の最大値に対するするステップの次のステップで前記凸部が前記第２接触部から外れる、
ことを特徴とするバルブ駆動装置。
【手続補正書】
【提出日】令和3年12月3日(2021.12.3)
【手続補正１】
【補正対象書類名】明細書
【補正対象項目名】発明の名称
【補正方法】変更
【補正の内容】
【発明の名称】スイッチ装置の製造方法および時計の製造方法
【手続補正２】
【補正対象書類名】明細書
【補正対象項目名】０００１
【補正方法】変更
【補正の内容】
【０００１】
この発明は、腕時計などの電子機器に用いられるスイッチ装置の製造方法およびそれを備えた時計の製造方法に関する。
【手続補正３】
【補正対象書類名】明細書
【補正対象項目名】０００６
【補正方法】変更
【補正の内容】
【０００６】
この発明が解決しようとする課題は、薄型化を図り、耐衝撃性を確保してデザイン性を向上させることができるスイッチ装置の製造方法およびそれを備えた時計の製造方法を提供することである。
【手続補正４】
【補正対象書類名】明細書
【補正対象項目名】０００７
【補正方法】変更
【補正の内容】
【０００７】
この発明は、貫通孔が設けられたケースの外面に、中心部に挿入孔が前記貫通孔に対応して設けられ且つ収納部が前記ケースの外部側に開放されて設けられた保護部材を取り付ける第１工程と、操作軸、および前記操作軸の外端部に設けられた操作頭部を備えた操作部材における前記操作軸を、ばね部材内、前記保護部材の前記収納部内、及び前記ケースの前記貫通孔に挿入させ、且つ前記操作頭部を、前記保護部材の前記収納部内に挿入する第２工程と、前記ケースの内部に突出した前記操作軸の内端部に抜止め部材を取り付ける第３工程と、を含むことを特徴とするスイッチ装置の製造方法である。
【手続補正５】
【補正対象書類名】特許請求の範囲
【補正対象項目名】全文
【補正方法】変更
【補正の内容】
【特許請求の範囲】
【請求項１】
貫通孔が設けられたケースの外面に、中心部に挿入孔が前記貫通孔に対応して設けられ且つ収納部が前記ケースの外部側に開放されて設けられた保護部材を取り付ける第１工程と、
操作軸、および前記操作軸の外端部に設けられた操作頭部を備えた操作部材における前記操作軸を、ばね部材内、前記保護部材の前記収納部内、及び前記ケースの前記貫通孔に挿入させ、且つ前記操作頭部を、前記保護部材の前記収納部内に挿入する第２工程と、
前記ケースの内部に突出した前記操作軸の内端部に抜止め部材を取り付ける第３工程と、
を含むことを特徴とするスイッチ装置の製造方法。
【請求項２】
請求項１に記載のスイッチ装置の製造方法において、前記第１工程は、前記保護部材を、複数のねじ部材によって前記ケースの前記外面に取り付ける工程を含むことを特徴とするスイッチ装置の製造方法。
【請求項３】
請求項１または請求項２に記載のスイッチ装置の製造方法において、前記第１工程は、前記ケースと前記保護部材との間に緩衝部材を配置する工程を含むことを特徴とするスイッチ装置の製造方法。
【請求項４】
請求項３に記載のスイッチ装置の製造方法において、前記第１工程で配置する前記緩衝部材は、一部が切り欠かれた環状に形成されていることを特徴とするスイッチ装置の製造方法。
【請求項５】
請求項１〜請求項４のいずれかに記載のスイッチ装置の製造方法において、前記第１工程は、前記ケースと前記保護部材とを第１位置決め部により位置決めする工程を含むことを特徴とするスイッチ装置の製造方法。
【請求項６】
請求項３または請求項４に記載のスイッチ装置の製造方法において、前記第１工程は、前記ケースと前記緩衝部材とを第２位置決め部により位置決めする工程を含むことを特徴とするスイッチ装置の製造方法。
【請求項７】
請求項３、請求項４、請求項６のいずれかに記載のスイッチ装置の製造方法において、前記第１工程は、前記保護部材と前記緩衝部材とを第３位置決め部により位置決めする工程を含むことを特徴とするスイッチ装置の製造方法。
【請求項８】
請求項１〜請求項７のいずれかに記載されたスイッチ装置の製造方法を備えていることを特徴とする時計の製造方法。
【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
必要とする個体における眼疾患の治療に使用するための、組換えアデノ関連ウイルス（ｒＡＡＶ）ビリオンまたは前記ビリオンを含む薬学的組成物であって、
前記組成物が薬学的に許容される賦形剤を含み、前記組換えアデノ関連ウイルス（ｒＡＡＶ）ビリオンが、
ａ）対応する親ＡＡＶキャプシドタンパク質に比してキャプシドタンパク質ＧＨループにペプチド挿入を含み、前記ペプチド挿入がＬＡＬＧＥＴＴＲＰＡ（配列番号４５）、ＬＡＮＥＴＩＴＲＰＡ（配列番号４６）、ＬＡＫＡＧＱＡＮＮＡ（配列番号４７）、ＬＡＫＤＰＫＴＴＮＡ（配列番号４８）、ＫＤＴＤＴＴＲ（配列番号５７）、ＲＡＧＧＳＶＧ（配列番号５８）、ＡＶＤＴＴＫＦ（配列番号５９）、ＳＴＧＫＶＰＮ（配列番号６０）、ＬＡＫＤＴＤＴＴＲＡ（配列番号６１）、ＬＡＲＡＧＧＳＶＧＡ（配列番号６２）、ＬＡＡＶＤＴＴＫＦＡ（配列番号６３）およびＬＡＳＴＧＫＶＰＮＡ（配列番号６４）から選択されるアミノ酸配列を含む、変異体ＡＡＶキャプシドタンパク質と、
ｂ）遺伝子産物をコードするヌクレオチド配列を含む異種核酸
とを含み、前記ｒＡＡＶビリオンが網膜細胞に感染する、ｒＡＡＶビリオンまたは薬学的組成物。
【請求項２】
前記挿入部位が、配列番号１に示すＡＡＶ２キャプシドタンパク質のアミノ酸５７０〜６１１内、あるいは別のＡＡＶ血清型のキャプシドタンパク質内の対応する位置にある、請求項１に記載のｒＡＶＶビリオンまたは薬学的組成物。
【請求項３】
前記網膜細胞が、光受容体、網膜神経節細胞、ミュラー細胞、双極細胞、アマクリン細胞、水平細胞、または網膜色素上皮細胞である、請求項１または２に記載のｒＡＡＶビリオンまたは薬学的組成物。
【請求項４】
前記治療が、眼内注入による、請求項１から３のいずれか一項に記載のｒＡＶＶビリオンまたは薬学的組成物。
【請求項５】
前記治療が、硝子体内注入による、請求項１から４のいずれか一項に記載のｒＡＶＶビリオンまたは薬学的組成物。
【請求項６】
前記眼疾患が、緑内障、網膜色素変性症、黄斑変性症、網膜分離症、レーバー先天黒内障、糖尿病性網膜症、色覚異常、または色覚障害である、請求項１から５のいずれか一項に記載のｒＡＶＶビリオンまたは薬学的組成物。
【請求項７】
ａ）対応する親ＡＡＶキャプシドタンパク質に比してキャプシドタンパク質ＧＨループにペプチド挿入を含み、前記ペプチド挿入がＬＡＬＧＥＴＴＲＰＡ（配列番号４５）、ＬＡＮＥＴＩＴＲＰＡ（配列番号４６）、ＬＡＫＡＧＱＡＮＮＡ（配列番号４７）、ＬＡＫＤＰＫＴＴＮＡ（配列番号４８）、ＬＡＫＤＴＤＴＴＲＡ（配列番号６１）、ＬＡＲＡＧＧＳＶＧＡ（配列番号６２）、ＬＡＡＶＤＴＴＫＦＡ（配列番号６３）およびＬＡＳＴＧＫＶＰＮＡ（配列番号６４）から選択されるアミノ酸配列を含み、網膜細胞の感染性を付与する、変異体ＡＡＶキャプシドタンパク質と、
ｂ）遺伝子産物をコードするヌクレオチド配列を含む異種核酸
とを含む、組換えアデノ関連ウイルス（ｒＡＡＶ）ビリオン。
【請求項８】
前記挿入部位が、ＡＡＶ２キャプシドタンパク質のアミノ酸５７０〜６１１内、あるいは別のＡＡＶ血清型のキャプシドタンパク質内の対応する位置にある、請求項７に記載のｒＡＶＶビリオン。
【請求項９】
前記網膜細胞が、光受容体、網膜神経節細胞、ミュラー細胞、双極細胞、アマクリン細胞、水平細胞、または網膜色素上皮細胞である、請求項７または８に記載のｒＡＡＶビリオン。
【請求項１０】
前記挿入部位が、配列番号１に示すＡＡＶ２キャプシドタンパク質のアミノ酸５８７〜５８８内、あるいは別のＡＡＶ血清型のキャプシドタンパク質内の対応する位置にある、請求項７に記載のｒＡＶＶビリオン。
【請求項１１】
前記遺伝子産物が、干渉ＲＮＡ、アプタマーまたはポリペプチドである、請求項７から１０のいずれか一項に記載のｒＡＡＶビリオン。
【請求項１２】
前記ポリペプチドが、グリア由来神経栄養因子、線維芽細胞成長因子２、ニュールツリン、毛様体神経栄養因子、神経成長因子、脳由来神経栄養因子、上皮細胞成長因子、ロドプシン、アポトーシスのＸ連鎖阻害剤、レチノスキシン、ＲＰＥ６５、網膜色素変性ＧＴＰａｓｅ相互作用タンパク質−１、ペリフェリン、ペリフェリン−２、ロドプシンおよびソニックヘッジホッグからなる群から選択される、請求項１１に記載のｒＡＡＶビリオン。
【請求項１３】
ａ）請求項７から１２のいずれか一項に記載の組換えアデノ関連ウイルスビリオンと、
ｂ）薬学的に許容される賦形剤
を含む薬学的組成物。
【請求項１４】
請求項７から１２のいずれか一項に記載の変異体アデノ関連ウイルス（ＡＡＶ）キャプシドタンパク質をコードするヌクレオチド配列を含む、単離された核酸。
【請求項１５】
請求項１４に記載の核酸を含む、単離された遺伝子改変宿主細胞。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
熱交換器であって、
冷媒を受け入れる冷媒受入タンク（６１）と、
熱交換後の冷媒を送り出す冷媒送出タンク（６２）と、
前記冷媒受入タンクと前記冷媒送出タンクとを繋ぎ、他の流体との間で熱交換を行う冷媒流路（Ｗ１０）と、を備え、
前記冷媒受入タンクには、受け入れる冷媒に旋回成分を付与する旋回構造（５，５Ａ，５Ｂ）が設けられており、
複数のプレートを重ね合わせることによって構成されており、
Ｄ：流路間距離
ｄ：流入口高さ
θ：旋回構造の羽根角度
ｘ：冷媒受入タンクの断面積に対する羽根面積の割合
とした場合に、
０＜ｄ・ｘ・ｃｏｓθ／Ｄ＜０．６  （ｆ１）
を満たす。
【請求項２】
請求項１に記載の熱交換器であって、
０．０２＜ｄ・ｘ・ｃｏｓθ／Ｄ＜０．５  （ｆ２）
を満たす。
【請求項３】
請求項１又は２に記載の熱交換器であって、
前記旋回構造は前記プレートにより形成されている。
【請求項４】
請求項１から３のいずれか１項に記載の熱交換器であって、
前記旋回構造は前記冷媒受入タンクに冷媒が流入する入口近傍に設けられている。
【請求項５】
請求項１から４のいずれか１項に記載の熱交換器であって、
前記冷媒受入タンクの冷媒流入方向におけるタンク長さが１００ｍｍ未満である。
【請求項６】
請求項１から５のいずれか１項に記載の熱交換器であって、
前記旋回構造は、羽根及び前記羽根が繋がる主軸を有しており、
前記羽根は、前記主軸に対する傾斜が一端から他端にかけて変わらないように設けられている。
【請求項７】
請求項１から６のいずれか１項に記載の熱交換器であって、
前記旋回構造は、前記冷媒受入タンクとは別体で形成されている。
【手続補正書】
【提出日】令和3年11月24日(2021.11.24)
【手続補正１】
【補正対象書類名】明細書
【補正対象項目名】００５７
【補正方法】変更
【補正の内容】
【００５７】
組成物を形成する各成分は以下のとおりである。
（Ａ）成分：両末端がジメチルビニルシロキシ基で封鎖され、２５℃における動粘度が６００ｍｍ２／ｓのジメチルポリシロキサン
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
樹脂基板に無電解めっきを行なって、プリント配線基板を製造する方法であって、
前記無電解めっきの前に、下記第１Ａ工程または第１Ｂ工程と、下記第２工程を、順次含むことを特徴とするプリント配線基板の製造方法。
第１Ａ工程：前記樹脂基板の表面に３５０ｎｍ以下の紫外線を照射し、表面粗さＲａを０．２μｍ以下とする工程。
第１Ｂ工程：前記樹脂基板に膨潤、５０〜７０℃で１〜１０分間の粗化、中和を順次行い、表面粗さＲａを０．２μｍ以下とする工程。
第２工程：
アミノ基を有するシランカップリング剤と；Ｃ4Ｈ9−（ＯＣ2Ｈ4）ｎ−ＯＨ（ｎ＝１〜４の整数）で表されるエチレン系グリコールブチルエーテル、および／またはＣ4Ｈ9−（ＯＣ3Ｈ6）ｎ−ＯＨ（ｎ＝１〜４の整数）で表されるプロピレン系グリコールブチルエーテルを用いて、ｐＨ３〜１０にて処理する工程。
【請求項２】
前記第２工程の後、無電解めっきの前に、１２０℃以上で加熱処理する工程を含む請求項１に記載のプリント配線基板の製造方法。
【手続補正２】
【補正対象書類名】明細書
【補正対象項目名】００１０
【補正方法】変更
【補正の内容】
【００１０】
上記課題を解決し得た本発明に係るプリント配線基板の製造方法は以下のとおりである。
［１］樹脂基板に無電解めっきを行なって、プリント配線基板を製造する方法であって、
前記無電解めっきの前に、下記第１Ａ工程または第１Ｂ工程と、下記第２工程を、順次含むことを特徴とするプリント配線基板の製造方法。
第１Ａ工程：前記樹脂基板の表面に３５０ｎｍ以下の紫外線を照射し、表面粗さＲａを０．２μｍ以下とする工程。
第１Ｂ工程：前記樹脂基板に膨潤、５０〜７０℃で１〜１０分間の粗化、中和を順次行い、表面粗さＲａを０．２μｍ以下とする工程。
第２工程：
アミノ基を有するシランカップリング剤と；Ｃ4Ｈ9−（ＯＣ2Ｈ4）ｎ−ＯＨ（ｎ＝１〜４の整数）で表されるエチレン系グリコールブチルエーテル、および／またはＣ4Ｈ9−（ＯＣ3Ｈ6）ｎ−ＯＨ（ｎ＝１〜４の整数）で表されるプロピレン系グリコールブチルエーテルを用いて、ｐＨ３〜１０にて処理する工程。
［２］前記第２工程の後、無電解めっきの前に、１２０℃以上で加熱処理する工程を含む上記［１］に記載のプリント配線基板の製造方法。
【手続補正３】
【補正対象書類名】明細書
【補正対象項目名】００２７
【補正方法】変更
【補正の内容】
【００２７】
中和処理（還元処理）に用いられる還元剤は、中和処理に通常用いられる還元剤であれば特に限定されず、例えば、過酸化水素、硫酸ヒドロキシルアンモニウム、グリオキシル酸；硫酸ヒドロキシルアミン、エチレンジアミン、ジエチレントリアミン、トリエチレンテトラミン、テトラエチレンペンタミン、モノエタノールアミン、ジエタノールアミン、エチレンジアミン四酢酸、ニトリロ三酢酸など、種々のアミン系化合物などが挙げられる。上記還元剤は、単独で用いても良いし、二種以上を併用しても良い。中和処理は、上記還元剤を含む処理液に樹脂基板を、約２０〜６０℃程度の温度で１〜１０分間、浸漬して行なうことが好ましい。
【手続補正４】
【補正対象書類名】明細書
【補正対象項目名】００５８
【補正方法】変更
【補正の内容】
【００５８】
また、上記第１Ａ工程、または第１Ｂ工程を行なった後、必要に応じて、超音波処理を行なっても良く、これにより、めっき密着性が一層向上する。超音波の処理条件として、例えば、周波数を２０〜２００ｋＨｚの範囲に制御することが好ましい。より好ましくは２４〜１００ｋＨｚである。周波数が上記下限を下回る場合、上記効果が有効に発揮されない。一方、周波数が上限を超えると、基板へのダメージが大きくなる。また、超音波の照射時間は、おおむね、１０秒〜１０分の範囲に制御することが好ましい。照射時間が１０秒未満の場合、上記効果が有効に発揮されない。一方、照射時間が１０分を超えると、内層金属に対して過剰なエッチングが生じる虞がある。
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
フッ素ゴムをゴム成分として含有すると共に、フェノール樹脂を含有することを特徴とする未架橋フッ素ゴム組成物。
【請求項２】
請求項１において、
前記ゴム成分１００質量部に対する前記フェノール樹脂の配合量は、５質量部以上で且つ２０質量部以下であることを特徴とする未架橋フッ素ゴム組成物。
【請求項３】
請求項１又は２において、
前記ゴム成分１００質量部に対し、５質量部以上で且つ２０質量部以下のシリカを更に含むことを特徴とする未架橋フッ素ゴム組成物。
【請求項４】
請求項３において、
前記シリカは、平均粒径が１０μｍ以上で且つ３０μｍ以下の粉末状であることを特徴とする未架橋フッ素ゴム組成物。
【請求項５】
請求項３又は４において、
前記シリカは、表面処理されていることを特徴とする未架橋フッ素ゴム組成物。
【請求項６】
請求項１〜５のいずれか１つにおいて、
前記フェノール樹脂は、反応完了したフェノール樹脂であることを特徴とする未架橋フッ素ゴム組成物。
【請求項７】
請求項１〜６のいずれか１つにおいて、
前記フェノール樹脂は、粉末状であることを特徴とする未架橋フッ素ゴム組成物。
【請求項８】
請求項１〜７のいずれか１つにおいて、
水素サイト保護剤を更に含むことを特徴とする未架橋フッ素ゴム組成物。
【請求項９】
請求項８において、
前記ゴム成分１００質量部に対する前記水素サイト保護剤の配合量は、５質量部以上で且つ１５質量部以下であることを特徴とする未架橋フッ素ゴム組成物。
【請求項１０】
請求項１〜９のいずれか１つの未架橋フッ素ゴム組成物における前記ゴム成分が架橋して構成されたゴム組成物によって形成されているゴム製品。
【請求項１１】
請求項１０において、
前記ゴム製品が、シール材であることを特徴とするゴム製品。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
外枠に開閉可能に取り付けられた本体枠と、
前記本体枠に対して着脱可能に取り付けられ、前側に遊技球が流下可能な遊技領域部を有し、後面側に箱状の裏箱を有する遊技盤と、
前記遊技盤の裏箱の上方に位置する前記本体枠の上部に配置され、遊技球を貯留する球タンク部と、該球タンク部の遊技球を下流に導くタンクレール部とを有するタンクユニットと、
前記裏箱で囲われた領域内に設けられた可動演出ユニットと、を具備した遊技機において、
前記本体枠を構成し上部に前記タンクユニットを有する天板部と、
前記遊技盤の裏箱を構成し屈曲線を基準に山折りに形成された屈曲面を有する上面部を有し、
前記本体枠に対して前記遊技盤が取り付けられた状態において、前記天板部と前記上面部との間に、前記屈曲線を基準に該屈曲線から離れる方向に向かって広がる隙間が形成されるようにし、
前記隙間を形成する前記裏箱の前記上面部に、貫通孔状の裏箱開口欠部が開設されている、
ことを特徴とする遊技機。
【手続補正２】
【補正対象書類名】明細書
【補正対象項目名】０００７
【補正方法】変更
【補正の内容】
【０００７】
上記の目的を達成するための本発明は、請求項１に記載したように、
外枠に開閉可能に取り付けられた本体枠と、
前記本体枠に対して着脱可能に取り付けられ、前側に遊技球が流下可能な遊技領域部を有し、後面側に箱状の裏箱を有する遊技盤と、
前記遊技盤の裏箱の上方に位置する前記本体枠の上部に配置され、遊技球を貯留する球タンク部と、該球タンク部の遊技球を下流に導くタンクレール部とを有するタンクユニットと、
前記裏箱で囲われた領域内に設けられた可動演出ユニットと、を具備した遊技機において、
前記本体枠を構成し上部に前記タンクユニットを有する天板部と、
前記遊技盤の裏箱を構成し屈曲線を基準に山折りに形成された屈曲面を有する上面部を有し、
前記本体枠に対して前記遊技盤が取り付けられた状態において、前記天板部と前記上面部との間に、前記屈曲線を基準に該屈曲線から離れる方向に向かって広がる隙間が形成されるようにし、
前記隙間を形成する前記裏箱の前記上面部に、貫通孔状の裏箱開口欠部が開設されている、
遊技機を提供する。
かかる遊技機の遊技盤によれば、裏箱の上部に屈曲部（屈曲線を基準に山折りに形成された屈曲面を有する上面部）を形成したことにより、その部分が多面体的構造になるため強度が向上し、したがって裏箱開口欠部を設けても十分な強度が得られる。また、遊技機の本体枠に装着された状態で該本体枠の天板部に裏箱の上部が対向したとき、両者の間に屈曲部を起点にして高さが漸次変化する（屈曲線を基準に該屈曲線から離れる方向に向かって広がる）通気路（隙間）を確保することができるため、裏箱内部で発生した熱を裏箱開口欠部から前記通気路を介して本体枠側に放出することが容易になる。したがって、遊技盤の裏箱の上部を本体枠の天板部に極力近接させて該裏箱の容量アップを図りつつ裏箱内の放熱性能の向上をも図ることができる（例えば、段落０６６８〜段落０６９２、図９８Ａ〜図１０１等参照。）。
【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
任意に再作像可能な作像面を有する作像部材と、
前記作像面に湿し溶液の層を塗布するための湿し溶液サブシステムと、
前記湿し溶液中に潜像を生成するように、前記湿し溶液層の一部を選択的に除去するためのパターニングサブシステムと、
インクが、前記パターニングサブシステムによって湿し溶液が除去された領域を選択的に占め、それによりインクが塗られた潜像を形成するように、前記作像面上に前記インクを塗布するためのインク塗りサブシステムと、
前記インクが塗られた潜像を基材に転写するための画像転写サブシステムと、
前記作像部材の前記表面から残留インクを除去するための清掃サブシステムと、を備え、前記清掃サブシステムが、
清掃ローラ列と、
前記残留インクを除去するために前記作像部材と物理的に接触し、平滑で薄いインク層を表面上に有する清掃部材と、
を備え、
前記平滑で薄いインク層と前記残留インクの間の凝着が前記作像部材から前記残留インクを除去するものであり、
前記平滑で薄いインク層が前記清掃部材の前記表面上で所定の厚さに維持されるように前記清掃部材と物理的に接触する移送部材、
をさらに備える、可変データ平版印刷システム。
【請求項２】
前記清掃ローラ列が、清掃部材と、前記清掃部材と物理的に接触している前記移送部材と、回収部材とを含む、請求項１に記載の可変データ平版印刷システム。
【請求項３】
前記清掃部材が、平滑なロールおよび／または硬質ロールを含む、請求項２に記載の可変データ平版印刷システム。
【請求項４】
前記作像部材への前記残留インクの付着が、前記清掃部材での前記薄くて平滑なインク層への前記残留インクの凝着よりも少ない、請求項２に記載の可変データ平版印刷システム。
【請求項５】
前記清掃部材が、ローラである、請求項４に記載の可変データ平版印刷システム。
【請求項６】
前記回収部材が、消耗部品であり、かつ前記清掃ローラ列内に容易に交換可能であるように配設されている、請求項２に記載の可変データ平版印刷システム。
【請求項７】
前記薄いインク層が前記清掃部材の前記表面部分上に残っている間に、前記移送部材が、前記清掃部材に接触し、そのような残留インクの第１の部分をそこから捕捉する、請求項４に記載の可変データ平版印刷システム。
【請求項８】
前記移送部材および／または前記回収部材を独立して制御するための少なくとも１つのモータをさらに含む、請求項７に記載の可変データ平版印刷システム。
【請求項９】
前記回収部材が、前記移送部材の前記残留インクの前記捕捉された第１の部分を蓄積する、請求項８に記載の可変データ平版印刷システム。
【請求項１０】
レオロジー改質剤をさらに備える、請求項８に記載の可変データ平版印刷システム。
【請求項１１】
前記レオロジー改質剤が、前記回収部材が前記移送部材に接触する前に、蓄積された残留インクの粘度を増加させるように構成された線源である、請求項１０に記載の可変データ平版印刷システム。
【請求項１２】
前記回収部材が、並進可能であり、かつ前記移送部材の前記残留インクの前記捕捉された第１の部分を蓄積するために、前記移送部材に直接的に接触するように配置されている清掃ウェブである、請求項８に記載の可変データ平版印刷システム。
【請求項１３】
可変データ平版印刷システムの作像部材の表面から残留インクを除去するための清掃サブシステムであって、
前記作像部材と物理的に接触し、表面上に平滑で薄いインク層を有する清掃部材を有する清掃ローラ列と、
前記平滑で薄いインク層が前記清掃部材の前記表面上で所定の厚さに維持されるように前記清掃部材と物理的に接触する移送部材と、を備え、
前記平滑で薄いインク層と前記残留インクの間の凝着が前記作像部材から前記残留インクを除去するものであり、
前記作像部材への前記残留インクの付着が、前記清掃部材での前記平滑で薄いインク層への前記残留インクの前記凝着よりも少ない、清掃サブシステム。
【請求項１４】
前記清掃ローラ列が、前記清掃部材と物理的に接触している前記移送部材と、前記移送部材と物理的に接触している回収部材とを含む、請求項１３に記載の清掃サブシステム。
【請求項１５】
前記清掃部材および前記移送部材が、２つ以上のロールを含む、請求項１４に記載の清掃サブシステム。
【請求項１６】
前記回収部材が、並進可能であり、かつ前記移送部材に直接的に接触するように配置されている清掃ウェブである、請求項１５に記載の清掃サブシステム。
【請求項１７】
前記移送部材のプロセス方向の下流に位置付けられ、かつ前記回収部材表面の前記残留インクを硬化させて硬化残留インクを生成するように構成されている粘度制御部をさらに含む、請求項１５に記載の清掃サブシステム。
【請求項１８】
前記粘度制御部が、前記回収部材が前記移送部材に接触する前に、蓄積された残留インクの粘度を増加させるように構成された線源である、請求項１７に記載の清掃サブシステム。
【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
所定の発射操作に基づいて遊技球を発射可能な発射手段と、
遊技球が入球可能な所定入球手段と、
前記所定入球手段への遊技球の入球に基づいて所定の判定用情報を取得する情報取得手段と、
前記情報取得手段が取得した判定用情報に基づいて特定判定を実行する特定判定手段と、
前記特定判定手段の判定結果に応じた特定遊技を実行する特定遊技実行手段と、
前記特定遊技の実行中に前記所定入球手段に遊技球が入球したことに基づいて、当該入球に対応する判定用情報を保留記憶することが可能な保留記憶手段と、
遊技球が入球可能又は入球しやすい第１態様と、遊技球が入球不可又は前記第１態様よりも入球しにくい第２態様とに切り替わり可能な可変入球手段と、
予め定められた所定条件が成立することに基づいて前記可変入球手段を前記第２態様から前記第１態様とし、その後、前記第２態様とする切替制御が行われる特定状態に移行させる移行手段と、
前記可変入球手段への遊技球の入球に基づいて遊技者に所定の特典を付与可能な特典付与手段と、
を備え、
前記保留記憶手段の保留記憶数が所定数以上であることに基づいて、遊技の状態が第１状態から当該第１状態の場合よりも遊技者にとって有利な第２状態となるように構成されており、
前記可変入球手段に遊技球を入球させるように遊技球が発射される態様で前記特定状態が遊技された場合に、前記特定状態において前記保留記憶手段の保留記憶数が増加しないように構成されており、
所定の第１操作態様で発射操作が行われた場合に第１領域を遊技球が流下可能となり、前記所定の第１操作態様とは異なる所定の第２操作態様で発射操作が行われた場合に前記第１領域とは異なる第２領域を遊技球が流下可能となるように構成されており、
前記第１領域を流下する遊技球が前記所定入球手段に入球可能であり、
前記第２領域を流下する遊技球が前記可変入球手段に入球可能であることを特徴とする遊技機。
【手続補正２】
【補正対象書類名】明細書
【補正対象項目名】０００６
【補正方法】変更
【補正の内容】
【０００６】
本発明は、
所定の発射操作に基づいて遊技球を発射可能な発射手段と、
遊技球が入球可能な所定入球手段と、
前記所定入球手段への遊技球の入球に基づいて所定の判定用情報を取得する情報取得手段と、
前記情報取得手段が取得した判定用情報に基づいて特定判定を実行する特定判定手段と、
前記特定判定手段の判定結果に応じた特定遊技を実行する特定遊技実行手段と、
前記特定遊技の実行中に前記所定入球手段に遊技球が入球したことに基づいて、当該入球に対応する判定用情報を保留記憶することが可能な保留記憶手段と、
遊技球が入球可能又は入球しやすい第１態様と、遊技球が入球不可又は前記第１態様よりも入球しにくい第２態様とに切り替わり可能な可変入球手段と、
予め定められた所定条件が成立することに基づいて前記可変入球手段を前記第２態様から前記第１態様とし、その後、前記第２態様とする切替制御が行われる特定状態に移行させる移行手段と、
前記可変入球手段への遊技球の入球に基づいて遊技者に所定の特典を付与可能な特典付与手段と、
を備え、
前記保留記憶手段の保留記憶数が所定数以上であることに基づいて、遊技の状態が第１状態から当該第１状態の場合よりも遊技者にとって有利な第２状態となるように構成されており、
前記可変入球手段に遊技球を入球させるように遊技球が発射される態様で前記特定状態が遊技された場合に、前記特定状態において前記保留記憶手段の保留記憶数が増加しないように構成されており、
所定の第１操作態様で発射操作が行われた場合に第１領域を遊技球が流下可能となり、前記所定の第１操作態様とは異なる所定の第２操作態様で発射操作が行われた場合に前記第１領域とは異なる第２領域を遊技球が流下可能となるように構成されており、
前記第１領域を流下する遊技球が前記所定入球手段に入球可能であり、
前記第２領域を流下する遊技球が前記可変入球手段に入球可能であることを特徴とする。
【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
釣竿の竿体に装着される釣用掛け具であって、
前記竿体の外周面に固定される装着軸部と、
前記装着軸部によって支持され、釣針または釣糸を掛けるように構成された掛け部と、  前記装着軸部に回転可能に結合され、前記掛け部を覆うように構成された保護部と、を含み、
前記保護部は、前記竿体の外周面に接触した状態で前記装着軸部の中心軸を中心として回転可能に前記装着軸部に結合される結合部と、前記結合部から延び、前記掛け部を収容する収容部と、を含み、
前記保護部は、前記保護部が前記掛け部を露出させる開き位置と、前記掛け部及び前記保護部が前記釣針または前記釣糸を挟持するように前記保護部が前記掛け部を覆い、前記掛け部が前記収容部に挿入されて収容される閉じ位置とに前記装着軸部の中心軸を中心として回転可能な、
釣用掛け具。
【請求項２】
前記保護部は、前記収容部に隣接し、前記閉じ位置で前記釣針または前記釣糸を前記竿体の外周面に向かって押さえる押さえ部を含む、
請求項１に記載の釣用掛け具。
【請求項３】
前記保護部は、前記押さえ部の前方に位置し、前記収容部から前記装着軸部の中心軸から遠くなる方向に突出した突出部を含む、
請求項２に記載の釣用掛け具。
【請求項４】
前記保護部は、前記突出部に前記中心軸に向かう接触面を含み、
前記接触面は、前記保護部が前記開き位置から前記閉じ位置に回転する時、前記掛け部の前端と接触し、前記掛け部を前記竿体に向かって押さえるように構成された、
請求項３に記載の釣用掛け具。
【請求項５】
前記結合部は、前記保護部が前記閉じ位置から前記開き位置に回転する時、前記掛け部の一部が挿入される挿入部と、前記挿入部に形成され、前記掛け部の前記一部と接触する押し上げ面と、を含み、
前記保護部が前記閉じ位置から前記開き位置に回転するに伴って、前記結合部が前記掛け部の前記一部を前記押し上げ面によって回転させる、
請求項１に記載の釣用掛け具。
【請求項６】
前記釣用掛け具を側方から見るとき、前記保護部が前記閉じ位置で前記竿体の外周面に接触した状態で、前記結合部は第１接点で前記竿体の外周面と接触し、
前記釣用掛け具を側方から見るとき、前記保護部が前記閉じ位置から前記開き位置に回転する途中で、前記結合部は前記装着軸部の中心軸から最も遠くにある第２接点で前記竿体の外周面と接触し、
前記釣用掛け具を側方から見るとき、前記結合部は、前記中心軸を中心として前記第２接点を通る仮想円の内側に前記第１接点が位置するように、前記第１接点と前記第２接点との間で湾曲した輪郭線を有する形状に形成される、
請求項１に記載の釣用掛け具。
【請求項７】
前記掛け部は、前記装着軸部に締まり嵌めで結合される嵌合部を含み、
前記嵌合部は、前記保護部が前記掛け部に接触しない時、前記装着軸部に対する前記掛け部の回転を防止する結合力を前記装着軸部に印加するように構成される、
請求項１に記載の釣用掛け具。
【請求項８】
前記嵌合部は、前記装着軸部が嵌合される嵌合孔と、前記嵌合孔に通じるスロット部と、を有し、
前記装着軸部は、前記スロット部を通じて前記嵌合孔に締まり嵌めされる、
請求項７に記載の釣用掛け具。
【請求項９】
前記装着軸部は、前記掛け部と前記保護部が結合される軸部と、前記装着軸部を前記竿体に固定するための弾性バンドが係合され、前記軸部の両端にそれぞれ設けられる一対の装着部と、を含み、
前記一対の装着部のうちの少なくとも１つは、前記軸部に嵌合されるように構成される、
請求項１に記載の釣用掛け具。
【請求項１０】
竿体と、
請求項１〜請求項８のいずれか１項に記載の前記釣用掛け具と、
を含み、
前記釣用掛け具は、前記竿体の外周面に巻かれ、前記釣用掛け具の前記装着軸部に係合される弾性バンドによって前記竿体の外周面に装着される、
釣竿。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
当たりを示す特別停止態様で特別図柄を停止表示可能な特別図柄表示手段と、
所定の演出を実行可能な演出実行手段と、を備え、
前記演出実行手段は、
通常演出モードおよび特殊演出モードを含む複数の演出モードから１の演出モードを設定可能であり、
前記特別停止態様の種別には第１停止態様と第２停止態様とがあり、
前記特殊演出モードの設定中に前記当たりになる場合には、特別図柄が前記特別図柄表示手段に前記第１停止態様で停止表示されることはなく前記第２停止態様で停止表示されることを特徴とする遊技機。
【請求項２】
請求項１に記載の遊技機であって、
前記複数の演出モードには、特殊演出モードとは異なる通常演出モードが含まれ、
前記通常演出モードの設定中に前記当たりになる場合には、特別図柄が前記特別図柄表示手段に前記第１停止態様で停止表示されるときと、前記第２停止態様で特別図柄が停止表示されるときと、があることを特徴とする遊技機。
【請求項３】
請求項２に記載の遊技機であって、
特別図柄が前記特別図柄表示手段に前記特別停止態様で停止表示された場合には、遊技者に有利な特別遊技を実行する特別遊技実行手段を備え、
前記特別遊技には、特別図柄が前記特別図柄表示手段に前記第１特別停止態様で停止表示された場合に行われる第１特別遊技と、特別図柄が前記特別図柄表示手段に前記第２特別停止態様で停止表示された場合に行われる第２特別遊技と、があり、
前記第２特別遊技は、
前記第１特別遊技よりも遊技者に有利なものであることを特徴とする遊技機。
【請求項４】
請求項３に記載の遊技機であって、
所定の遊技状態に設定可能な遊技状態設定手段を備え、
前記演出実行手段は、
前記所定の遊技状態の設定中に、前記通常演出モードを設定するときと前記特殊演出モードを設定するときとがあることを特徴とする遊技機。
【請求項５】
請求項１から請求項４までのいずれか１項に記載の遊技機であって、
判定情報に基づいて、前記当たりであるか否かの第１判定を行う第１判定手段を備え、
前記演出実行手段は、
前記特殊演出モードの設定中、通常の終了条件の成立時に当該特殊演出モードの設定を終了するときと、前記通常の終了条件とは異なる特殊な終了条件の成立時に当該特殊演出モードの設定を終了するときと、があり、
前記特殊な終了条件には、前記第１判定の結果が、前記特別図柄表示手段に前記第１特別停止態様で特別図柄が停止表示される当たりである場合が含まれることを特徴とする遊技機。
【請求項６】
請求項１から請求項４までのいずれか１項に記載の遊技機であって、
判定情報に基づいて、前記当たりであるか否かの第１判定を行う第１判定手段と、
前記第１判定の実行前に、当該第１判定の結果が前記当たりになることを判定可能な第２判定手段と、を備え、
前記演出実行手段は、
前記特殊演出モードの設定中、通常の終了条件の成立時に当該特殊演出モードの設定を終了するときと、前記通常の終了条件とは異なる特殊な終了条件の成立時に当該特殊演出モードの設定を終了するときと、があり、
前記特殊な終了条件には、前記第１判定の結果が、前記特別図柄表示手段に前記第１特別停止態様で停止表示される前記当たりになることを、前記第２判定手段が判定する場合が含まれることを特徴とする遊技機。
【手続補正２】
【補正対象書類名】明細書
【補正対象項目名】０００５
【補正方法】変更
【補正の内容】
【０００５】
本発明の遊技機は、
当たりを示す特別停止態様で特別図柄を停止表示可能な特別図柄表示手段と、
所定の演出を実行可能な演出実行手段と、を備え、
前記演出実行手段は、
通常演出モードおよび特殊演出モードを含む複数の演出モードから１の演出モードを設定可能であり、
前記特別停止態様の種別には第１停止態様と第２停止態様とがあり、
前記特殊演出モードの設定中に前記当たりになる場合には、特別図柄が前記特別図柄表示手段に前記第１停止態様で停止表示されることはなく前記第２停止態様で停止表示されることを特徴とする。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
所定の演出を実行可能な演出制御手段を備える遊技機において、
遊技者が操作可能な操作部と、
演出画像を表示可能な表示部と、を備え、
前記操作部の近傍には、特定の発光部が設けられ、
前記演出制御手段は、
前記操作部の操作を促す操作演出を実行可能であり、
前記操作演出において、前記特定の発光部の発光が前記操作部に向けて移動しているかのように前記特定の発光部を発光させることが可能である、
ことを特徴とする遊技機。
【請求項２】
請求項１に記載の遊技機において、
前記演出制御手段は、
前記操作演出において、前記操作部を表す操作部画像と、前記特定の発光部を表す発光部画像と、を前記表示部に表示可能である、
ことを特徴とする遊技機。
【請求項３】
請求項２に記載の遊技機において、
前記演出制御手段は、
前記操作演出において、前記発光部画像を表示させた後に前記操作部画像を表示させる、
ことを特徴とする遊技機。
【手続補正２】
【補正対象書類名】明細書
【補正対象項目名】０００５
【補正方法】変更
【補正の内容】
【０００５】
本発明の遊技機は、
所定の演出を実行可能な演出制御手段を備える遊技機において、
遊技者が操作可能な操作部と、
演出画像を表示可能な表示部と、を備え、
前記操作部の近傍には、特定の発光部が設けられ、
前記演出制御手段は、
前記操作部の操作を促す操作演出を実行可能であり、
前記操作演出において、前記特定の発光部の発光が前記操作部に向けて移動しているかのように前記特定の発光部を発光させることが可能である、
ことを特徴とする遊技機である。
【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
入力画像から、複数のセグメントを含むセグメントディスプレイの文字が撮影された部分画像を抽出する抽出部と、
前記部分画像において、文字を示す画素の集合を細線化する細線化部と、
前記複数のセグメントにそれぞれ対応する複数の判定領域を前記部分画像に設定する設定部と、
前記複数の判定領域のそれぞれにおいて、細線化された前記集合に含まれる画素の数を検出し、検出結果に基づいて前記文字を識別する識別部と、
を含む処理装置を備えた読取システム。
【手続補正２】
【補正対象書類名】明細書
【補正対象項目名】発明の名称
【補正方法】変更
【補正の内容】
【発明の名称】読取システム
【手続補正３】
【補正対象書類名】明細書
【補正対象項目名】０００１
【補正方法】変更
【補正の内容】
【０００１】
本発明の実施形態は、読取システムに関する。
【手続補正４】
【補正対象書類名】明細書
【補正対象項目名】０００４
【補正方法】変更
【補正の内容】
【０００４】
本発明が解決しようとする課題は、セグメントディスプレイに表示された文字の読み取り精度を向上できる、読取システムを提供することである。